(57)【特許請求の範囲】
【請求項１】
被切断材である平板上を摺動可能に構成された平らな下面を備えるベースと、前記ベースの下面から一部が下方に突出するようにそのベースに支持された円盤状の鋸刃と、前記鋸刃を回転させるモータと、モータハウジングに取付けられたハンドルとを備え、作業者がハンドルを把持して前記ベースを前記平板に対して前進させることで、前記鋸刃の回転により前記平板を切断するマルノコであって、
前記ハンドルは、前記ベースの前部を前にしてそのベースを前進させる場合の第１の取付け位置と、前記ベースの後部を前にしてそのベースを前進させる場合の第２の取付け位置とのいずれかに取付け可能に構成されており、
前記ハンドルと前記モータハウジングとには、前記モータハウジングに対するハンドルの取付け位置を変更する動作により、前記モータの回転方向を切替えられるように構成された回転方向切替え手段が設けられていることを特徴とするマルノコ。
【請求項２】
請求項１に記載されたマルノコであって、
前記回転方向切替え手段は、切替スイッチと、前記切替スイッチを動作させる動作部材とからなり、
前記切替スイッチは、前記モータハウジングに取付けられる構成で、第１突起と第２突起とを備え、前記第１突起が押込まれることで第２突起が前記モータハウジングの表面から突出する第１の状態と、前記第２突起が押込まれることで前記第１突起が前記モータハウジングの表面から突出する第２の状態とに切替わる構成であり、
前記動作部材は、前記ハンドル側に設けられる構成で、押圧面と凹部とからなり、
前記ハンドルを前記モータハウジングに対する第１の取付け位置に取付ける動作により、前記動作部材の押圧面は前記切替スイッチの第１突起を押込み、前記凹部は前記モータハウジングの表面から突出する第２突起を収納し、
前記ハンドルを前記モータハウジングの第２の取付け位置に取付ける動作により、前記押圧面は前記切替スイッチの第２突起を押込み、前記凹部は第１突起を収納できるように構成されていることを特徴とするマルノコ。
【請求項３】
請求項１に記載されたマルノコであって、
前記回転方向切替え手段は、前記ハンドル内に設けられた前記モータの電気回路の一部と、前記モータハウジング内に設けられた前記モータの電気回路の一部とを接続可能に構成された前記ハンドル側及び前記モータハウジング側のコネクタであり、
前記ハンドルを前記モータハウジングに対する第１の取付け位置に取付ける際に、前記双方のコネクタは前記電気回路が前記モータを正転させる回路構成となるように接続され、
前記ハンドルを前記モータハウジングに対する第２の取付け位置に取付ける際に、前記双方のコネクタは前記電気回路が前記モータを逆転させる回路構成となるように接続されることを特徴とするマルノコ。
【請求項４】
請求項１に記載されたマルノコであって、
前記回転方向切替え手段は、切替スイッチと、前記切替スイッチを動作させる動作部材とからなり、
前記切替スイッチは、第１の位置と第２の位置との間を移動可能な可動部を備え、前記可動部が第１の位置にある第１の状態と、前記可動部が第２の位置にある第２の状態とに切替わる構成であり、
前記動作部材は、前記ハンドルを前記モータハウジングの第１の取付け位置に取付ける動作により、前記切替スイッチの可動部を第２の位置から第１の位置まで押圧し、前記ハンドルを前記モータハウジングの第２の取付け位置に取付ける動作により、前記切替スイッチの可動部を第１の位置から第２の位置まで押圧できるように構成されていることを特徴とするマルノコ。
【発明の詳細な説明】
【技術分野】
【０００１】
本発明は、被切断材である平板上を摺動可能に構成された平らな下面を備えるベースと、前記ベースの下面から一部が下方に突出するようにそのベースに支持された円盤状の鋸刃と、前記鋸刃を回転させるモータと、モータハウジングに取付けられたハンドルとを備え、作業者がハンドルを把持して前記ベースを前記平板に対して前進させることで、前記鋸刃の回転により前記平板を切断するマルノコに関する。
【背景技術】
【０００２】
上記したマルノコに関する技術が特許文献１に記載されている。
特許文献１に記載の技術は、右手操作用のマルノコと、このマルノコに対して左右対称に形成された左手操作用のマルノコとが共通のハンドルを使用できるように構成されている。このため、右手操作用のマルノコで使用したハンドルを左手操作用のマルノコに取付けることが可能になる。
【０００３】
【特許文献１】特表２００５−５３２１７８号公報
【発明の開示】
【発明が解決しようとする課題】
【０００４】
しかし、上記したマルノコでは、右手操作用と左手操作用とが左右対称に形成されており、一台のマルノコを右手操作用と左手操作用とに兼用することはできない。
一般的に、右手操作用と左手操作用とに兼用できるマルノコの場合、右手操作用から左手操作用、あるいは左手操作用から右手操作用に変更する場合、マルノコの前後方向が逆になるため、それに合わせてモータの回転方向と鋸刃の向きを切替え、ハンドルの取付け位置を変更する必要がある。
ここで、前記マルノコを右手操作用、あるいは左手操作用に変更した場合、変更後のハンドルの取付け位置、及び鋸刃の向き等は、マルノコの外観から正常な状態か否かが判断可能である。しかし、モータの回転方向の切替えはスイッチ等の操作により行なわれるため、表示部の損傷や汚れ等で正常に切替えられたか否かが判断できない場合がある。また、モータの回転方向の切替え操作を忘れることがある。
【０００５】
本発明は、上記問題点を解決するためになされたものであり、本発明が解決しようとする課題は、マルノコを右手操作用、あるいは左手操作用に切替える際、ハンドルの位置変更動作によりモータの回転方向の切替えを行なえるようにすることである。
【課題を解決するための手段】
【０００６】
上記した課題は、各請求項の発明によって解決される。
請求項１の発明は、被切断材である平板上を摺動可能に構成された平らな下面を備えるベースと、前記ベースの下面から一部が下方に突出するようにそのベースに支持された円盤状の鋸刃と、前記鋸刃を回転させるモータと、モータハウジングに取付けられたハンドルとを備え、作業者がハンドルを把持して前記ベースを前記平板に対して前進させることで、前記鋸刃の回転により前記平板を切断するマルノコであって、前記ハンドルは、前記ベースの前部を前にしてそのベースを前進させる場合の第１の取付け位置と、前記ベースの後部を前にしてそのベースを前進させる場合の第２の取付け位置とのいずれかに取付け可能に構成されており、前記ハンドルと前記モータハウジングとには、前記モータハウジングに対するハンドルの取付け位置を変更する動作により、前記モータの回転方向を切替えられるように構成された回転方向切替え手段が設けられていることを特徴とする。
【０００７】
本発明によると、ハンドルは、ベースの前部を前にしてそのベースを前進させる場合の第１の取付け位置と、ベースの後部を前にしてそのベースを前進させる場合の第２の取付け位置とのいずれかに取付け可能に構成されている。即ち、ハンドルを右手操作用の位置、あるいは左手操作用の位置に取付けることが可能になる。
また、ハンドルとモータハウジングとには、モータハウジングに対するハンドルの取付け位置を変更する動作により、前記モータの回転方向を切替えられるように構成された回転方向切替え手段が設けられている。このため、前記ハンドルの取付け位置を第１の取付け位置と第２の取付け位置間で変更したときに、自動的に鋸刃の回転方向が切替わるようになる。
【０００８】
請求項２の発明によると、回転方向切替え手段は、切替スイッチと、前記切替スイッチを動作させる動作部材とからなり、前記切替スイッチは、前記モータハウジングに取付けられる構成で、第１突起と第２突起とを備え、前記第１突起が押込まれることで第２突起が前記モータハウジングの表面から突出する第１の状態と、前記第２突起が押込まれることで前記第１突起が前記モータハウジングの表面から突出する第２の状態とに切替わる構成であり、前記動作部材は、前記ハンドル側に設けられる構成で、押圧面と凹部とからなり、前記ハンドルを前記モータハウジングに対する第１の取付け位置に取付ける動作により、前記動作部材の押圧面は前記切替スイッチの第１突起を押込み、前記凹部は前記モータハウジングの表面から突出する第２突起を収納し、前記ハンドルを前記モータハウジングの第２の取付け位置に取付ける動作により、前記押圧面は前記切替スイッチの第２突起を押込み、前記凹部は第１突起を収納できるように構成されていることを特徴とする。
このため、前記ハンドルをモータハウジングの第１の取付け位置、あるいは第２の取付け位置に取付けることで、確実にモータの回転方向を切替えることができる。
【０００９】
請求項３の発明によると、回転方向切替え手段は、ハンドル内に設けられたモータの電気回路の一部と、モータハウジング内に設けられた前記モータの電気回路の一部とを接続可能に構成された前記ハンドル側及び前記モータハウジング側のコネクタであり、前記ハンドルを前記モータハウジングに対する第１の取付け位置に取付ける際に、前記双方のコネクタは前記電気回路が前記モータを正転させる回路構成となるように接続され、前記ハンドルを前記モータハウジングに対する第２の取付け位置に取付ける際に、前記双方のコネクタは前記電気回路が前記モータを逆転させる回路構成となるように接続されることを特徴とする。
このため、前記ハンドルをモータハウジングの第１の取付け位置、あるいは第２の取付け位置に取付けることで、確実にモータの回転方向を切替えることができる。
請求項４の発明によると、回転方向切替え手段は、切替スイッチと、前記切替スイッチを動作させる動作部材とからなり、前記切替スイッチは、第１の位置と第２の位置との間を移動可能な可動部を備え、前記可動部が第１の位置にある第１の状態と、前記可動部が第２の位置にある第２の状態とに切替わる構成であり、前記動作部材は、前記ハンドルを前記モータハウジングの第１の取付け位置に取付ける動作により、前記切替スイッチの可動部を第２の位置から第１の位置まで押圧し、前記ハンドルを前記モータハウジングの第２の取付け位置に取付ける動作により、前記切替スイッチの可動部を第１の位置から第２の位置まで押圧できるように構成されていることを特徴とする。
【発明の効果】
【００１０】
本発明によると、マルノコを右手操作用、あるいは左手操作用に切替える際、ハンドルの位置変更動作によりモータの回転方向の切替えを行なうことができる。
【発明を実施するための最良の形態】
【００１１】
（実施形態１）
以下、図１から図７に基づいて、本発明の実施形態１に係るマルノコの説明を行なう。図１、図２は本実施形態に係るマルノコの正面図、平面図であり、図３はマルノコのハンドルとモータハウジングの切替スイッチとの関係を表す模式図、図４はマルノコのモータの回路図である。また、図５から図７は変更例に係る切替スイッチの模式図、及びマルノコのモータの回路図である。
【００１２】
＜マルノコの構成概要について＞
本実施形態のマルノコ１０は、図１（Ｂ）に示すように、右手でハンドル３０を把持して平板Ｂの端縁Ｂｅを切断する場合と、図２（Ｂ）に示すように、左手でハンドル３０を把持して平板Ｂの端縁Ｂｅを切断する場合との双方で使用できるように構成されている。
前記マルノコ１０は、前記ベース１２と、そのベース１２上の傾動機構１３ａ，１３ｂと、そのベース１２上で傾動機構１３ａ，１３ｂにより一定範囲で傾斜可能に構成されたモータ１４と、鋸刃２０とを備えている。
ベース１２は、平面角形に形成された前後方向に長い板状体であり、被切断材である平板Ｂ上をスライド可能なように平らな下面１２ｂを備えている。また、ベース１２の幅方向における一端縁際（図１（Ｂ）において下端縁際）には、鋸刃２０を通す切欠き（図示省略）が形成されている。
モータ１４は、前記ベース１２の前後方向中央部上で横向きに配置されており、ベース１２上の前端部と後端部とに設けられた傾動機構１３ａ，１３ｂを介して前記ベース１２に連結されている。そして、モータ１４は、傾動機構１３ａ，１３ｂの働きで、その軸心をベース１２の下面１２ｂと平行な状態から所定角度で傾斜する状態まで傾動可能に構成されている。
【００１３】
モータ１４の回転軸（図示省略）は、ギヤ機構（図示省略）に接続されており、前記回転軸と平行なギヤ機構のスピンドル２４（図１参照）に円盤状の鋸刃２０が同軸に装着されている。これにより、鋸刃２０は傾動機構１３ａ，１３ｂの働きにより、モータ１４と共にベース１２の下面１２ｂに対して直角な状態から所定角度まで傾斜可能となる。そして、前記鋸刃２０の一部がベース１２の端縁際に形成された切欠き（図示省略）に通された状態で、ベース２０の下面から下方に突出している。なお、ベース２０の下面に対する鋸刃２０の突出量は突出量調整機構（図示省略）の働きで調整可能に構成されている。
また、鋸刃２０の外周は、ベース１２上の部分がブレードケース２５によって覆われており、前記ベース１２から下方に突出した部分が可動ブレードケース（図示省略）によって覆われている。可動ブレードケースは、鋸刃２０が平板Ｂを切断する際にその平板Ｂに押圧されて円周方向に退避するため、鋸刃２０と平板Ｂの接触を妨げない。
モータ１４のハウジング１４ｈ（モータハウジング１４ｈ）には、上記したように右手でマルノコ１０を操作する場合と左手でマルノコ１０を操作する場合とで、取付け位置を変更できるように構成されたハンドル３０が取付けられている。
【００１４】
＜ハンドル３０について＞
ハンドル３０は、マルノコ１０の使用者が平板Ｂを切断する際に把持する部分であり、図３（Ａ）に示すように、握り部３１の人差し指支持位置３１ｍの近傍にモータ１４を起動させるトリガスイッチ３２が設けられている。また、ハンドル３０の内部には、図４（Ａ）（Ｂ）に示すように、モータ１４の電気回路４０の電源である電源装置４１が収納されている。前記モータ１４の電気回路４０は、ハンドル３０内の回路とモータハウジング１４ｈ内の回路とがコネクタＣＮ１，ＣＮ２により相互に接続されることにより構成される。ここで、コネクタＣＮ１のNo.1、No.2端子は、図３（Ｂ）（Ｃ）に示すように、ハンドル３０の下側接合平面３４に形成されており、コネクタＣＮ２のNo.1、No .2端子は、モータハウジング１４ｈの上部接合平面１４ｚに形成されている。そして、ハンドル３０がモータハウジング１４ｈに対する第１の取付け位置（図３（Ａ）の実線位置、図３（Ｂ）の位置）にあるとき、及びハンドル３０がモータハウジング１４ｈに対する第２の取付け位置（図３（Ａ）の二点鎖線位置、図３（Ｃ）の位置）にあるときの双方で、前記コネクタＣＮ１，ＣＮ２が相互に接続可能なように構成されている。
ここで、第１の取付け位置は、右手でマルノコ１０を操作する場合のハンドル３０の取付け位置であり、第２の取付け位置は、左手でマルノコ１０を操作する場合のハンドル３０の取付け位置である。
【００１５】
また、モータハウジング１４ｈの上部接合平面１４ｚには、図３（Ｂ）（Ｃ）に示すように、電気回路４０を構成する切替スイッチ４３が取付けられている。切替スイッチ４３は、ハンドル３０の取付け位置に対応してモータ１４の回転方向を切替えるスイッチであり、例えば、シーソー型のスイッチが使用される。即ち、切替スイッチ４３は、第１突起４３ａと第２突起４３ｂとを備えており、第１突起４３ａが押込まれると第２突起４３ｂが突出する第１の状態となり、第２突起４３ｂが押込まれると第１突起４３ｂが突出する第２の状態となる。
ハンドル３０は、モータハウジング１４ｈに対する第１の取付け位置（図３（Ａ）の実線位置、図３（Ｂ）の位置）で、そのハンドル３０の下側接合平面３４により切替スイッチ４３の第１突起４３ａを押込めるように構成されている。また、ハンドル３０の下側接合平面３４には、前記第１の取付け位置で突出した第２突起４３ｂを収納できる凹部３５が形成されている。ここで、ハンドル３０がモータハウジング１４ｈに対する第２の取付け位置（図３（Ａ）の二点鎖線位置、図３（Ｃ）の位置）に取付けられると、ハンドル３０の下側接合平面３４は第２突起４３ｂを押込むとともに、突出した第１突起４３ａが凹部３５に収納される。
即ち、ハンドル３０の下側接合平面３４が本発明における動作部材の押圧面に相当し、前記凹部３５が本発明における動作部材の凹部に相当する。
【００１６】
切替スイッチ４３が前記第１の状態のときは、図４（Ａ）に示すように、モータ１４の電機子１４ａの第１端子（No.1）は、切替スイッチ４３によってモータコイル１４ｅ、コネクタＣＮ２のNo.1端子，コネクタＣＮ１のNo.1端子を介して電源装置４１に接続される。また、電機子１４ａの第２端子（No.2）は、切替スイッチ４３によってモータコイル１４ｆ、コネクタＣＮ２のNo.2端子，コネクタＣＮ１のNo.2端子、ハンドル３０のトリガスイッチ３２を介して電源装置４１に接続される。これにより、ハンドル３０のトリガスイッチ３２がオンすると、モータ１４は正転方向に回転するようになる。
一方、前記切替スイッチ４３が前記第２の状態のときは、図４（Ｂ）に示すように、モータ１４の電機子１４ａの第１端子（No.1）は、切替スイッチ４３によってモータコイル１４ｆ、コネクタＣＮ２のNo.2端子、コネクタＣＮ１のNo.1端子を介して電源装置４１に接続される。また、モータ１４の電機子１４ａの第２端子（No.2）は、切替スイッチ４３によってモータコイル１４ｅ、コネクタＣＮ２のNo.1端子、コネクタＣＮ１のNo.2端子、ハンドル３０のトリガスイッチ３２を介して電源装置４１に接続される。これにより、ハンドル３０のトリガスイッチ３２がオンすると、モータ１４は逆転方向に回転するようになる。
【００１７】
＜本実施形態に係るマルノコ１０の取り扱いについて＞
右手操作用のマルノコ１０の場合、図１に示すように、ハンドル３０はモータハウジング１４ｈに対する第１の取付け位置に取付けられている。この状態では、モータハウジング１４ｈの切替スイッチ４３は、第１突起４３ａが押込まれて第２突起４３ｂが突出する第１の状態となる。さらに、ハンドル３０のコネクタＣＮ１と、モータハウジング１４ｈのコネクタＣＮ２とが接続される。これにより、図４（Ａ）に示すように、モータ１４の電機子１４ａの第１端子は切替スイッチ４３によってモータコイル１４ｅ、コネクタＣＮ１、ＣＮ２の両No.1端子を介して電源装置４１に接続される。また、モータ１４の電機子１４ａの第２端子は切替スイッチ４３によってモータコイル１４ｆ、コネクタＣＮ１、ＣＮ２の両No.2端子、ハンドル３０のトリガスイッチ３２を介して電源装置４１される。このため、モータ１４は正転方向に回転可能になる。
【００１８】
次に、右手操作用のマルノコ１０を、左手操作用に変更する場合には、先ず、ハンドル３０の位置を変更する。即ち、ハンドル３０をモータハウジング１４ｈに対する第１の取付け位置から取外し、第２の取付け位置に取付ける。この状態では、モータハウジング１４ｈの切替スイッチ４３は、第２突起４３ｂが押込まれて第１突起４３ａが突出する第２の状態となる。さらに、ハンドル３０のコネクタＣＮ１と、モータハウジング１４ｈのコネクタＣＮ２とが接続される。これにより、図４（Ｂ）に示すように、モータ１４の電機子１４ａの第１端子は、切替スイッチ４３によってモータコイル１４ｆ、コネクタＣＮ１、ＣＮ２のNo.1端子、No.2端子を介して電源装置４１に接続される。また、モータ１４の電機子１４ａの第２端子は、切替スイッチ４３によってモータコイル１４ｅ、コネクタＣＮ１、ＣＮ２のNo.2端子、No.1端子、ハンドル３０のトリガスイッチ３２を介して電源装置４１に接続される。このため、モータ１４は逆転方向に回転可能になる。
このようにして、ハンドル３０取付け位置を変更した後、鋸刃２０を裏返して刃の向きを変更する。
【００１９】
＜本実施形態に係るマルノコ１０の長所について＞
本実施形態に係るマルノコ１０によると、ハンドル３０は、ベース１２の前部を前にしてそのベースを前進させる場合の第１の取付け位置（右手操作用の位置）と、ベース１２の後部を前にしてそのベースを前進させる場合の第２の取付け位置（左手操作用の位置）のいずれかに取付け可能に構成されている。即ち、ハンドル３０を右手操作用の位置、あるいは左手操作用の位置に取付けることが可能になる。
また、モータハウジング１４ｈには、そのモータハウジング１４ｈに対するハンドル３０の取付け位置を変更する動作により切替わる切替スイッチ４３が設けられている。そして、切替スイッチ４３によって、モータ１４の回転方向が切替わるように構成されている。このため、ハンドル３０の取付け位置を第１の取付け位置と第２の取付け位置間で変更したときに、自動的に鋸刃２０の回転方向が切替わるようになる。
また、切替スイッチ４３には、いわゆるシーソー型のスイッチが使用されるため、ハンドル３０をモータハウジング１４ｈの第１の取付け位置、あるいは第２の取付け位置に取付けることで、確実に切替えスイッチ４３が動作するようになる。
【００２０】
＜変更例＞
ここで、本発明は上記実施形態に限定されるものではなく、本発明の要旨を逸脱しない範囲における変更が可能である。例えば、本実施形態では、シーソー型の切替スイッチ４３を使用する例を示したが、図５に示すように、一方の突起４５ａを押込んだときに他方の突起４５ｂが突出する押しボタン式のスイッチ４５を使用することも可能である。
また、本実施形態では、モータハウジング１４ｈに切替スイッチ４３を設けてモータ１４の回転方向を切替える例を示したが、図６、図７に示すように、モータハウジング１４ｈに対するハンドル３０の取付け位置に応じてコネクタＣＮ１、ＣＮ２の接続部位が自動的に替わるようにし、モータ１４の回転方向を切替える構成も可能である。
即ち、上記構成では、ハンドル３０側のコネクタＣＮ１は、No.1端子〜No.3端子、No.5端子、No.6端子、及びNo.8端子を備えており、モータハウジング１４ｈ側のコネクタＣＮ２は、No.1端子〜No.8端子を備えている。そして、ハンドル３０がモータハウジング１４ｈに対する第１の取付け位置に取付けられる際に、コネクタＣＮ１は、図６に示すように、コネクタＣＮ２の端子に対して同じ向きに（接続端子が同一番号となるように）接続される。また、ハンドル３０がモータハウジング１４ｈに対する第２の取付け位置に取付けられる際に、コネクタＣＮ１は、図７に示すように、コネクタＣＮ２に対して逆向きに接続される。即ち、コネクタＣＮ１のNo.1端子〜No.3端子がコネクタＣＮ２のNo.8端子〜No.6端子、コネクタＣＮ１のNo.5端子、No.6端子がコネクタＣＮ２のNo.4端子、No.3端子、コネクタＣＮ１のNo.8端子がコネクタＣＮ２のNo.1端子に接続される。
【００２１】
そして、前記コネクタＣＮ１がコネクタＣＮ２に対して同じ向きに接続された状態では、図６に示すように、電機子１４ａの第１端子は、コネクタＣＮ１，ＣＮ２の両No.3端子、両No.2端子、モータコイル１４ｅ、両No.1端子を介して電源装置４１に接続される。また、モータ１４の電機子１４ａの第２端子（No.2）は、コネクタＣＮ１，ＣＮ２の両No.6端子、両No.5端子、モータコイル１４ｆ、両No.8端子、ハンドル３０のトリガスイッチ３２を介して電源装置４１に接続される。これにより、ハンドル３０のトリガスイッチ３２がオンすると、モータ１３は正転方向に回転するようになる。
一方、コネクタＣＮ１がコネクタＣＮ２に対して逆向きに接続された状態では、図７に示すように、モータ１４の電機子１４ａの第１端子（No.1）は、コネクタＣＮ１，ＣＮ２のNo.3端子、No.6端子、No.5端子、No.4端子、モータコイル１４ｆ、No.8端子、No.1端子を介して電源装置４１に接続される。また、モータ１４の電機子１４ａの第２端子（No.2）は、コネクタＣＮ１，ＣＮ２のNo.6端子、No.3端子、No.2端子、No.7端子、モータコイル１４ｅ、No.1端子、No.8端子、ハンドル３０のトリガスイッチ３２を介して電源装置４１に接続される。これにより、ハンドル３０のトリガスイッチ３２がオンすると、モータ１３は逆転方向に回転するようになる。
このように、モータハウジング１４ｈに対するハンドル３０の取付け位置に応じてコネクタＣＮ１、ＣＮ２の接続位置が自動的に替わるようにすることで、モータ１４の回転方向を切替えることが可能になる。
【００２２】
また、図３に示すシーソー型の切替スイッチ４３、図５に示す押しボタン式の切替スイッチ４５を使用する代わりに、図８（Ａ）（Ｂ）に示すように、レバー形の切替スイッチ１４３を使用することも可能である。レバー形の切替スイッチ１４３は、レバー１４３ｓが第１の位置（図８（Ｂ）点線参照）と第２の位置（図８（Ｂ）実線参照）との間で傾動することにより、第１の状態と第２の状態とに切替わるスイッチであり、モータハウジング１４ｈの上部接合平面１４ｚに設けられている。
一方、ハンドル３０の下側接合平面３４には、図８（Ａ）に示すように、その下側接合平面３４がモータハウジング１４ｈの上部接合平面１４ｚに合わせられた状態で、切替スイッチ１４３を収納できる凹部３５が形成されている。
また、ハンドル３０のコネクタＣＮ１（No.1、 No.２端子）とモータハウジング１４ｈのコネクタＣＮ２（No.1、 No.２端子）とは、図８（Ａ）に示すように、ハンドル３０の下側接合平面３４をモータハウジング１４ｈの上部接合平面１４ｚに当接させる際に接続されるように構成されている。そして、両コネクタＣＮ１，ＣＮ２が接続されている状態で、図８（Ｂ）に示すように、ハンドル３０をモータハウジング１４ｈに対して矢印方向に摺動させ、コネクタＣＮ１のNo.1、 No.２端子をコネクタＣＮ２のNo.1、 No.２端子に沿わせることで、ハンドル３０をモータハウジング１４ｈに対する第２の取付け位置まで移動させることができる。また、ハンドル３０を図８（Ｂ）に示す位置に対して左右対称に配置し、両コネクタＣＮ１，ＣＮ２を接続した状態で、ハンドル３０をモータハウジング１４ｈに対して図８（Ｂ）の矢印と逆方向に摺動させることで、ハンドル３０をモータハウジング１４ｈに対する第１の取付け位置まで移動させることができる。
【００２３】
ハンドル３０の凹部３５は、そのハンドル３０がモータハウジング１４ｈに対する第１の取付け位置、あるいは第２の取付け位置まで移動する際に、その凹部３５の内壁面が切替スイッチ１４３の本体部分と干渉することなく、レバー１４３ｓの先端部のみを押圧できるように形成されている。即ち、凹部３５は、切替スイッチ１４３の本体部分を収納する下側大空間部３５ｂと、切替スイッチ１４３のレバー１４３ｓの先端部分を収納する上側小空間部３５ａとを備えている。そして、下側大空間部３５ｂと上側小空間部３５ａとの境界部に切替スイッチ１４３のレバー１４３ｓの先端部を押圧可能な押圧面１３５が形成されている。
このため、図８（Ｂ）に示すように、両コネクタＣＮ１，ＣＮ２が接続されている状態で、ハンドル３０をモータハウジング１４ｈに対する第２の取付け位置まで移動させる過程で、切替スイッチ１４３のレバー１４３ｓを凹部３５の押圧面１３５で第１の位置（図８（Ｂ）点線参照）から第２の位置（図８（Ｂ）実線位置）まで傾動させることができる。また、ハンドル３０を、図８（Ｂ）に示す位置に対して左右対称に配置し、両コネクタＣＮ１，ＣＮ２が接続されている状態で、ハンドル３０をモータハウジング１４ｈに対する第１の取付け位置まで移動させることにより、切替スイッチ１４３のレバー１４３ｓを凹部３５の押圧面１３５により第２の位置（図８（Ｂ）実線参照）から第１の位置（図８（Ｂ）点線位置）まで傾動させることができる。
このように、レバー形の切替スイッチ１４３を使用してもモータ１４の回転方向を良好に切替えることができる。即ち、切替スイッチ１４３のレバー１４３ｓが本発明の可動部に相当し、凹部３５の押圧面１３５が本発明の動作部材に相当する。
【図面の簡単な説明】
【００２４】
【図１】本実施形態に係るマルノコの正面図（Ａ図）、平面図（Ｂ図）である。
【図２】本実施形態に係るマルノコの正面図（Ａ図）、平面図（Ｂ図）である。
【図３】前記マルノコのモータハウジングに対するハンドルの取付け位置を表す模式図（Ａ図）、前記ハンドルとモータハウジングの切替スイッチとの関係を表す模式図（Ｂ図、Ｃ図）である。
【図４】前記マルノコのモータの回路図（Ａ図）（Ｂ図）である。
【図５】変更例に係るハンドルとモータハウジングの切替スイッチとの関係を表す模式図である。
【図６】変更例に係るマルノコのモータの回路図である。
【図７】変更例に係るマルノコのモータの回路図である。
【図８】変更例に係るハンドルとモータハウジングの切替スイッチとの関係を表す模式図である（Ａ図）（Ｂ図）。
【符号の説明】
【００２５】
Ｂ・・・・・・・平板（被切断材）
１２・・・・・・ベース
１４・・・・・・モータ
１４ｈ・・・・・モータハウジング
２０・・・・・・鋸刃
３０・・・・・・ハンドル
３４・・・・・・下側接合平面（動作部材の押圧面）
３５・・・・・・凹部（動作部材）
４３・・・・・・切替スイッチ
４３ａ・・・・・第１突起
４３ｂ・・・・・第２突起
４５・・・・・・切替スイッチ（回転方向切替え手段）
ＣＮ１・・・・・コネクタ（回転方向切替え手段）
ＣＮ２・・・・・コネクタ（回転方向切替え手段）
１３５・・・・・押圧面（動作部材）
１４３・・・・・切替スイッチ
１４３ｓ・・・・レバー（可動部）
【図１】
0005148297.tif 000002
【図２】
0005148297.tif 000003
【図３】
0005148297.tif 000004
【図４】
0005148297.tif 000005
【図５】
0005148297.tif 000006
【図６】
0005148297.tif 000007
【図７】
0005148297.tif 000008
【図８】
0005148297.tif 000009